(57)【要約】      （修正有）【課題】構造が単純であり、排水の汚れが細部に残留しにくく、洗浄が簡単な排水口とゴム栓を提供する。【解決手段】排水口Ｂ１〜Ｂ３は浴槽等底面Ａとの継ぎ目の無い一体成型とし、ボールチェーンは用いず、ゴム栓Ｆは引手Ｇを含め全体を滑らかな平面と曲面のみで設計して、汚れの残留場所を排する構造とし、それによって雑菌が繁殖しにくく、洗浄が容易である形状に形成する。【選択図】図２
0003195030.tif 000002
【実用新案登録請求の範囲】
【請求項１】
本体部の底面に、前記底面と継ぎ目無く一体として下向きの孔を成して形成されており、その構成はまず前記底面から孔を成して下向きのカーブとして形成され、続いて上方が下方よりやや大きい孔を形成して延伸しており、前記下方の内側にはゴム栓を適切な位置に留めるための出っ張りを有し、前記孔の深さは前記ゴム栓の本体の高さと同程度で、全体のどの部分も角及び溝等を形成しない滑らかな平面と曲面で形成されている排水口と、前記排水口と対として使用する専用の栓で、全体は栓の本体と引手から成り、前記栓の本体の形状は、上部の形が下部の形よりもやや大きい、前記排水口の孔と同じ形状か、あるいは排水を完全に管理できる類似形であって、前記引手は、前記栓の本体の上部に、指あるいはフック等を掛ける穴を形成しながらアーチ状に形成されているか、あるいは前記栓の本体の上部を指あるいはフック等が入る程度の深さに穿った穴の上に、前記栓の本体の形状内に収まるように橋状に形成されて、前記栓を前記排水口に差し込んだ状態で前記底面とともに平らかな底面を構成する形状に形成されている、全体のどの部分も角及び溝等を形成しない滑らかな平面と曲面で形成され、柔軟性のあるゴムで作られたゴム栓とからなるゴム栓付き排水口。
【請求項２】
前記本体部の実施例によっては前記排水口の下方の外側にねじ溝を形成することが出来、それによって排水パイプに接続することが出来る請求項１に記載のゴム栓付き排水口。
【考案の詳細な説明】
【技術分野】
【０００１】
本発明は、一対の排水口とそれに専用するゴム栓とからなるゴム栓付き排水口に関するものである。
【背景技術】
【０００２】
従来、風呂等の排水は、風呂等の底面に設けられた排水口から排水口に嵌め込まれたゴム栓を抜くことによって行われている。排水口の構造は風呂等の底面に孔を設け、その周囲にゴム栓を受けるための金属製あるいはプラスチック製の円環の栓を取り付けて構成されている。円環の栓の下部は続いて排水パイプに接続されて排水溝を形成している。
【０００３】
また、排水口とサイズが適合したゴム栓は、ニトリルゴム等のゴムを材料とし、排水口に差し込んで排水口の孔を完全に塞ぎ、浴槽等から水が漏れ出る事を防いでいる。また、排水口に嵌め込まれたゴム栓を引き抜く事によって、排水が行われる。このゴム栓には、通常、ゴム栓天部中央に金属製の小さな環が取り付けられており、その環によって、ゴム栓のゴム部分とボールチェーンを連結している。ボールチェーンの他方の端は浴槽等の壁面に取り付けられている。
【先行技術文献】
【非特許文献】
【０００４】
【非特許文献１】メーカー名：カクダイ／商品名：ゴム栓付き風呂栓およびバス用ゴム栓くさり付き
【考案の概要】
【考案が解決しようとする課題】
【０００５】
従来の排水口とゴム栓は、構造が複雑であるために排水の汚れが細部に残留し、雑菌が繁殖しやすい。
排水口は浴槽等の本体部の底面に栓が取り付けられて構成されているが、この栓と本体との継ぎ目、ゴム栓とボールチェーンの取り付け部、ボールチェーン自体、ボールチェーンと本体の取り付け部は、汚れによって雑菌の溜まり場となる。
【０００６】
しかしその構造が複雑なために、洗浄を充分に行うことが出来ない（例えば、非特許文献１参照）。
本来、清潔であるべき浴槽等が、排水口、ゴム栓、ボールチェーンに残留する汚れのために、雑菌の繁殖する場所となっている。雑菌の繁殖を最小にとどめることが出来、洗浄が容易な構造の排水口とゴム栓が望まれている。
【課題を解決するための手段】
【０００７】
本考案の排水口とゴム栓は、どちらも全体の構造が角や溝の無い滑らかな平面と曲面のみで構成されることを特徴としている。
【０００８】
排水口を、栓を用いず、浴槽等の底面から継ぎ目なく連続して下向きにカーブして延び、排水パイプに接続される一体構造に形成する。全体は、滑らかな平面と曲面で構成する。この排水口は、浴槽等の底面と連続して浴槽等の一部であり、浴槽等の底面と排水口の継ぎ目が無いために、雑菌の繁殖場所となる排水の溜まりを作らない。
【０００９】
また、ボールチェーンを用いない。それによって、ボールチェーン自体の複雑形状に存在する雑菌の繁殖場所、およびゴム栓とボールチェーンの接合部の複雑形状に存在する雑菌の繁殖場所、ボールチェーンと浴槽等の接合部の複雑形状に存在する雑菌の繁殖場所を排除する。
【００１０】
ゴム栓には、ゴム栓を引き抜くために、ゴム栓の本体に指あるいはフック等を掛けるための引手を設ける。この引手はゴム栓と同じ材質で、ゴム栓の本体との間に継ぎ目は無く、ゴム栓の一部として構成される。
【００１１】
引手を含めたゴム栓の全体の形状は、角や溝の無い滑らかな平面と曲面で構成され、排水の溜まり場所を作らず、雑菌の繁殖を最小に抑える。
【考案の効果】
【００１２】
浴槽等底面と排水口を連続した滑らかな一体として構成することによって、浴槽等底面に栓を設ける事によって生じる継ぎ目を排したこと、およびボールチェーンを排したこと、引手を設けた滑らかな平面と曲面構成のゴム栓を採用したことによって、排水が残留する場所が存在しなくなった。そのため、雑菌の繁殖を最小に抑えることが可能となった。
また、排水口もゴム栓も、全体の何処にも角や溝等を形成せず、全て滑らかな平面と曲面で構成されているため、洗浄が容易である。この意味でも雑菌の繁殖を抑える事に効果がある。
【００１３】
この排水口とゴム栓は、例えばベビーバス用として用いると良い。新生児用ベビーバスは、特に清潔を必要とされる。雑菌の繁殖場所を作らないようにするために、排水口を設けない構造のベビーバスもある。この様なベビーバスの排水は、ベビーバスごと倒したり、あるいは手桶等で掻い出して行っている。
しかし力仕事であったり、手間が必要であるので、排水口を設けることが望ましい。
【００１４】
本考案をベビーバスに適用する場合、バスの底面よりなお下部に向かって延伸している排水口に対応するために、バスの底に脚を設けて、バスの底面を床面から離す必要がある。（図６を参照）この措置によってベビーバスの底面が通常よりも高い位置になる。そのため、新生児を入浴させる際、保育者はかがむ姿勢を浅くすることが出来、腰や背中の負担が少なくなり、疲労が軽減される。
また、滑らかな平面と曲面で構成し、排水口とゴム栓の形状から汚れの溜まる構造を排しているので、雑菌が繁殖しにくい。しかも洗浄が容易なので、その点でも清潔を保つことに効果がある。
排水口とゴム栓を設ける事によって、ベビーバスの排水が容易となる。
【図面の簡単な説明】
【００１５】
【図１】排水口Ｂの斜視図。
【図２】排水口Ｂとゴム栓Ｆの形態例１との実施例の断面図。
【図３】ゴム栓の形態例１の断面図。
【図４】ゴム栓の形態例２の断面図。
【図５】ゴム栓の形態例２の平面図。
【図６】浴槽等Ｅ側面図。
【図７】排水口Ｂと排水パイプＣの断面図。
【考案を実施するための形態】
【００１６】
浴槽等Ｅの底面Ａに、底面Ａから続く排水口Ｂを設ける。排水口Ｂは、底面Ａと一体として継ぎ目無く孔を成して形成される。まず、孔を成して底面Ａから約９０度下方にカーブ（Ｂ−１）を形成し、続いてゴム栓Ｆの本体Ｈと同じ大きさで、上方（Ｂ−２）が下方（Ｂ−３）よりやや大きい大きさの孔を形成して成り、下方（Ｂ−３）部分には内側にゴム栓を留めるための出っ張り（Ｂ−４）を有している。下方（Ｂ−２）部分の外側にはねじ溝（Ｂ−５）を設ける事も出来、これによって排水パイプＣに接続される。（図２を参照）
排水口Ｂの形状は一般には同心円状であるが、同心円状でなくともよく、デザインして角丸四角形であったり、角の無いハート形や星形等でも良い。この場合には、ゴム栓はデザインされた排水口と同じ大きさで同じ形か、あるいは排水を完全に管理することができる類似形に形成する。  
【００１７】
排水口Ｂの下方（Ｂ−３）は、排水口Ｂの上方（Ｂ−２）に相似形であって、上方（Ｂ−２）よりもわずかに小さい。下方（Ｂ−３）にはゴム栓Ｆを適切な位置に留めるための内向きの出っ張り（Ｂ−４）を有する。出っ張り（Ｂ−４）は、孔を塞いでおらず、排水の障害とならない。この構造により、差し込まれたゴム栓Ｆの本体Ｈは孔の壁面とよく密着し、なおかつ出っ張り（Ｂ−３）によって、ゴム栓Ｆは孔内の適切な位置に留まり、排水を完全に管理する。排水口Ｂの深さは、ゴム栓Ｆの本体Ｈの高さと同程度である。（図２を参照）
排水口Ｂは、カーブ（Ｂ−１）部分、（Ｂ−２）から（Ｂ−３）に至る壁面、出っ張り（Ｂ−４）部分の、どの部分も滑らかな平面と曲面で構成されており、角や溝等を形成していない。
排水口Ｂの下方（Ｂ−３）の外側（Ｂ−５）には、ねじ溝を切っても良い。このねじ溝によって、排水パイプＣと接続することが出来る。
【００１８】
浴槽等Ｅがベビーバスの場合、排水口Ｂの深さに対応するために排水口Ｂの深さよりもやや長い脚Ｄをベビーバスに設ける。この場合には、排水パイプＣは設けない。
【００１９】
ゴム栓Ｆは、ゴム栓の本体Ｈと引手Ｇによって構成されている。
ゴム栓の本体Ｈの形は排水口Ｂの孔の形と同じか、あるいは排水を完全に管理することが出来る類似形を成しており、孔と同じ大きさである。ゴム栓Ｆを孔に差し込んだとき、ゴム栓Ｆの柔軟性が作用して、孔とよく密着するように形成する。（図２を参照）
ゴム栓Ｆには、引手Ｇを設ける。密着して孔の中に嵌まり込んでいるゴム栓Ｆを引き抜くため、ゴム栓Ｆに指やフック等を掛ける穴Ｉを設けるが、穴Ｉを形成しているゴム栓Ｆの上のアーチ状の部分が引手Ｇとなる。穴Ｉよりも下の部分はゴム栓の本体Ｈである（図３を参照）。
【００２０】
または、引手Ｇは、ゴム栓Ｆを孔に差し込んだ状態で、底面Ａとゴム栓Ｆの上部の面が同じ高さとなるように形成することもできる。この場合には、まず、排水口Ｂとゴム栓Ｆの全体を通常よりも大きめに作り、ゴム栓の本体Ｈの上部に、指あるいはフック等を引手Ｇに掛ける事に支障のない形の穴Ｉを穿つ。次に、穴Ｉの上に引手Ｇを、引手Ｇがゴム栓の本体Ｈの形状内に収まるよう、橋を渡す様に形成する。ゴム栓Ｆを排水口Ｂに嵌め込んだときに底面Ａと、引手Ｇを含めたゴム栓Ｆの上部の面が一連となり、引手Ｇが底面Ａから飛び出した状態にならない。この形状は、入浴の際、邪魔にならない（図４を参照）。
【００２１】
図３及び図４のどちらの場合も、ゴム栓Ｆは、引手Ｇも含めて、全体のどの部分も、滑らかな平面と曲面で構成され、角や溝等を形成していない。
【００２２】
ゴム栓Ｆの材質は、シリコンやニトリルゴム等の、人体に無害で、耐熱性、防水性、柔軟性のあるプラスチックゴムを用いる。排水口Ｂに同じ大きさのゴム栓Ｆを嵌め込むとき、その柔軟性が作用して排水口Ｂとよく密着して、排水を完全に管理することが出来る材料であることが必要である。
【符号の説明】
【００２３】
Ｅ  浴槽等
Ａ  浴槽等の底面
Ｂ  排水口
Ｃ  排水パイプ
Ｄ  ベビーバスの脚
Ｂ−１  排水口の下向きのカーブ
Ｂ−２  排水口の上方
Ｂ−３  排水口の下方
Ｂ−４  出っ張り
Ｂ−５  ねじ溝
Ｆ  ゴム栓
Ｇ  ゴム栓の引手
Ｈ  ゴム栓の本体
Ｉ  ゴム栓の穴
【図１】
0003195030.tif 000003
【図２】
0003195030.tif 000004
【図３】
0003195030.tif 000005
【図４】
0003195030.tif 000006
【図５】
0003195030.tif 000007
【図６】
0003195030.tif 000008
【図７】
0003195030.tif 000009